(57)【要約】【課題】本発明は、専用ボタンによる操作によって、機能項目を簡単に選択することができ、操作性に優れ、ユニバーサルデザインに対応した情報表示装置および情報表示方法を提供することを課題とする。【解決手段】ＯＳＤ用キャラクタジェネレータ２２は、実行する機能を示す機能項目２６が複数配列されていると共に、選択する機能項目２６の移動を指示する方向キーおよび選択されている機能項目２６の実行を指示する決定キーとを含む指示キー２７が配列されている操作画面をＬＣＤ１９に表示し、マイコン２５は、指示キー２７を所定間隔毎に順次選択し、方向キーを選択している状態でＵＤボタン２３２が操作されると、ＵＤボタン２３２の操作時に選択している方向キーに基づいて選択する機能項目２６を移動し、決定キーを選択している状態でＵＤボタン２３２が操作されると、選択している機能項目２６を実行する。【選択図】        図１
2008165557.tif 000002
【特許請求の範囲】
【請求項１】
表示手段に表示した操作画面に基づく操作を受け付ける情報表示装置であって、
１つの専用ボタンと、
実行する機能を示す機能項目が複数配列されていると共に、選択する前記機能項目の移動を指示する方向キーおよび選択されている前記機能項目の実行を指示する決定キーとを含む指示キーが配列されている前記操作画面を前記表示手段に表示する表示制御手段と、
前記操作画面における前記指示キーを所定間隔毎に順次選択する指示キー選択手段と、
該指示キー選択手段によって前記方向キーが選択されている状態で前記専用ボタンが操作されると、前記専用ボタンの操作時に選択されている前記方向キーに基づいて選択する前記機能項目を移動させると共に、前記指示キー選択手段によって前記決定キーが選択されている状態で前記専用ボタンが操作されると、選択されている前記機能項目を実行する機能項目選択実行手段とを具備することを特徴とする情報表示装置。
【請求項２】
前記表示制御手段は、前記表示手段に前記操作画面が表示されていない状態で前記専用ボタンが操作されると、前記操作画面を前記表示手段に表示させることを特徴とする請求項１記載の情報表示装置。
【請求項３】
前記指示キー選択手段は、前記方向キーが選択されている状態で前記専用ボタンが操作されると、前記専用ボタンの操作時に選択されている前記方向キーに基づいて選択する前記機能項目を移動させた後、前記専用ボタンの操作時に選択されている前記方向キーから前記指示キーを所定間隔毎に順次選択することを特徴とする請求項１又は２記載の情報表示装置。
【請求項４】
前記表示制御手段は、前記指示キーとして前記操作画面の表示終了を指示する終了キーを表示させ、
前記機能項目選択実行手段は、前記指示キー選択手段によって前記終了キーが選択されている状態で前記専用ボタンが操作されると、前記操作画面の表示を終了させることを特徴とする請求項１乃至３のいずれかに記載の情報表示装置。
【請求項５】
前記表示制御手段は、前記指示キーとして前記機能項目の順次選択への移行を指示する移行指示キーを表示させ、
前記指示キー選択手段は、前記移行指示キーが選択されている状態で前記専用ボタンが操作されると、前記操作画面における前記機能項目を所定間隔毎に順次選択させ、
前記機能項目選択実行手段は、前記指示キー選択手段によって前記機能項目が選択されている状態で前記専用ボタンが操作されると、選択されている前記機能項目を実行することを特徴とする請求項１乃至４のいずれかに記載の情報表示装置。
【請求項６】
前記指示キー選択手段は、順次選択する前記指示キーを複数のグループに分け、前記専用ボタンが操作されることなく、グループ内の前記指示キーが１回り選択された場合に、次のグループの前記指示キーを選択させることを特徴とする請求項１乃至５のいずれかに記載の情報表示装置。
【請求項７】
表示手段に表示した操作画面に基づく１つの専用ボタンによる操作を受け付ける情報表示方法であって、
実行する機能を示す機能項目が複数配列されていると共に、選択する前記機能項目の移動を指示する方向キーおよび選択されている前記機能項目の実行を指示する決定キーとを含む指示キーが配列されている前記操作画面を前記表示手段に表示し、
前記操作画面における前記指示キーを所定間隔毎に順次選択し、
前記方向キーを選択している状態で前記専用ボタンが操作されると、前記専用ボタンの操作時に選択している前記方向キーに基づいて選択する前記機能項目を移動し、
前記決定キーを選択している状態で前記専用ボタンが操作されると、選択している前記機能項目を実行することを特徴とする情報表示方法。
【請求項８】
前記表示手段に前記操作画面を表示していない状態で前記専用ボタンが操作されると、前記操作画面を前記表示手段に表示することを特徴とする請求項７記載の情報表示方法。
【請求項９】
前記方向キーを選択している状態で前記専用ボタンが操作されると、前記専用ボタンの操作時に選択している前記方向キーに基づいて選択する前記機能項目を移動した後、前記専用ボタンの操作時に選択している前記方向キーから前記指示キーを所定間隔毎に順次選択することを特徴とする請求項７又は８記載の情報表示方法。
【請求項１０】
前記指示キーとして前記操作画面の表示終了を指示する終了キーを表示し、
前記終了キーを選択している状態で前記専用ボタンが操作されると、前記操作画面の表示を終了することを特徴とする請求項７乃至９のいずれかに記載の情報表示方法。
【請求項１１】
前記指示キーとして前記機能項目の順次選択への移行を指示する移行指示キーを表示し、
前記移行指示キーを選択している状態で前記専用ボタンが操作されると、前記操作画面における前記機能項目を所定間隔毎に順次選択し、
前記機能項目を選択している状態で前記専用ボタンが操作されると、選択している前記機能項目を実行することを特徴とする請求項７乃至１０のいずれかに記載の情報表示方法。
【請求項１２】
順次選択する前記指示キーを複数のグループに分け、
前記専用ボタンが操作されることなく、グループ内の前記指示キーを１回り選択した場合に、次のグループの前記指示キーを選択することを特徴とする請求項７乃至１１のいずれかに記載の情報表示方法。
【発明の詳細な説明】
【技術分野】
【０００１】
本発明は、情報を表示するテレビジョン装置等の情報表示装置に関し、特に１つの専用ボタンを用いてバリアフリーな操作性を実現して多様なメニュー操作を可能にする情報表示装置に関する。
【背景技術】
【０００２】
従来、実行する機能を示す機能項目を画面に複数表示すると共に、複数の機能項目を順次選択し、選択ボタンが操作された際に、選択されている機能項目を実行するように構成することで、１つの選択ボタンの操作のみで簡単にメニュー項目を選択できるようにした情報表示装置が提案されている（例えば、特許文献１参照）。
【０００３】
しかしながら、従来技術では、多くの機能項目が存在している場合には、ユーザが意図する機能項目が選択するまで時間がかかってしまうことがあると共に、機能項目がマトリックス状に配設されている場合には、ユーザが意図する方向の機能項目が選択されるとは限らず、ユーザの感性に対応した操作を行うことができないため、操作性が著しく悪くなってしまうという問題点があった。
【特許文献１】特開２００２−３２８７５８号公報
【発明の開示】
【発明が解決しようとする課題】
【０００４】
本発明は斯かる問題点に鑑みてなされたものであり、その目的とするところは、多くの機能項目が存在していたり、機能項目がマトリックス状に配設されていたりした場合にも、１つの専用ボタンによる操作によって、ユーザの意図する機能項目を簡単に選択することができ、操作性に優れ、ユニバーサルデザインに対応した情報表示装置および情報表示方法を提供する点にある。
【課題を解決するための手段】
【０００５】
本発明は上記課題を解決すべく、以下に掲げる構成とした。
本発明の情報表示装置は、表示手段に表示した操作画面に基づく操作を受け付ける情報表示装置であって、１つの専用ボタンと、実行する機能を示す機能項目が複数配列されていると共に、選択する前記機能項目の移動を指示する方向キーおよび選択されている前記機能項目の実行を指示する決定キーとを含む指示キーが配列されている前記操作画面を前記表示手段に表示する表示制御手段と、前記操作画面における前記指示キーを所定間隔毎に順次選択する指示キー選択手段と、該指示キー選択手段によって前記方向キーが選択されている状態で前記専用ボタンが操作されると、前記専用ボタンの操作時に選択されている前記方向キーに基づいて選択する前記機能項目を移動させると共に、前記指示キー選択手段によって前記決定キーが選択されている状態で前記専用ボタンが操作されると、選択されている前記機能項目を実行する機能項目選択実行手段とを具備することを特徴とする。
【０００６】
さらに、本発明の情報表示装置においては、前記表示制御手段は、前記表示手段に前記操作画面が表示されていない状態で前記専用ボタンが操作されると、前記操作画面を前記表示手段に表示させることを特徴とする請求項１記載の情報表示装置。
【０００７】
さらに、本発明の情報表示装置においては、前記指示キー選択手段は、前記方向キーが選択されている状態で前記専用ボタンが操作されると、前記専用ボタンの操作時に選択されている前記方向キーに基づいて選択する前記機能項目を移動させた後、前記専用ボタンの操作時に選択されている前記方向キーから前記指示キーを所定間隔毎に順次選択することを特徴とする。
【０００８】
さらに、本発明の情報表示装置においては、前記表示制御手段は、前記指示キーとして前記操作画面の表示終了を指示する終了キーを表示させ、
前記機能項目選択実行手段は、前記指示キー選択手段によって前記終了キーが選択されている状態で前記専用ボタンが操作されると、前記操作画面の表示を終了させることを特徴とする。
【０００９】
さらに、本発明の情報表示装置においては、前記表示制御手段は、前記指示キーとして前記機能項目の順次選択への移行を指示する移行指示キーを表示させ、前記指示キー選択手段は、前記移行指示キーが選択されている状態で前記専用ボタンが操作されると、前記操作画面における前記機能項目を所定間隔毎に順次選択させ、前記機能項目選択実行手段は、前記指示キー選択手段によって前記機能項目が選択されている状態で前記専用ボタンが操作されると、選択されている前記機能項目を実行することを特徴とする。
【００１０】
さらに、本発明の情報表示装置においては、前記指示キー選択手段は、順次選択する前記指示キーを複数のグループに分け、前記専用ボタンが操作されることなく、グループ内の前記指示キーが１回り選択された場合に、次のグループの前記指示キーを選択させることを特徴とする。
【００１１】
また、本発明の情報表示方法は、表示手段に表示した操作画面に基づく１つの専用ボタンによる操作を受け付ける情報表示方法であって、実行する機能を示す機能項目が複数配列されていると共に、選択する前記機能項目の移動を指示する方向キーおよび選択されている前記機能項目の実行を指示する決定キーとを含む指示キーが配列されている前記操作画面を前記表示手段に表示し、前記操作画面における前記指示キーを所定間隔毎に順次選択し、前記方向キーを選択している状態で前記専用ボタンが操作されると、前記専用ボタンの操作時に選択している前記方向キーに基づいて選択する前記機能項目を移動し、前記決定キーを選択している状態で前記専用ボタンが操作されると、選択している前記機能項目を実行することを特徴とする。
【００１２】
さらに、本発明の情報表示方法においては、前記表示手段に前記操作画面を表示していない状態で前記専用ボタンが操作されると、前記操作画面を前記表示手段に表示することを特徴とする請求項７記載の情報表示方法。
【００１３】
さらに、本発明の情報表示方法においては、前記方向キーを選択している状態で前記専用ボタンが操作されると、前記専用ボタンの操作時に選択している前記方向キーに基づいて選択する前記機能項目を移動した後、前記専用ボタンの操作時に選択している前記方向キーから前記指示キーを所定間隔毎に順次選択することを特徴とする。
【００１４】
さらに、本発明の情報表示方法においては、前記指示キーとして前記操作画面の表示終了を指示する終了キーを表示し、前記終了キーを選択している状態で前記専用ボタンが操作されると、前記操作画面の表示を終了することを特徴とする。
【００１５】
さらに、本発明の情報表示方法においては、前記指示キーとして前記機能項目の順次選択への移行を指示する移行指示キーを表示し、前記移行指示キーを選択している状態で前記専用ボタンが操作されると、前記操作画面における前記機能項目を所定間隔毎に順次選択し、前記機能項目を選択している状態で前記専用ボタンが操作されると、選択している前記機能項目を実行することを特徴とする。
【００１６】
さらに、本発明の情報表示方法においては、順次選択する前記指示キーを複数のグループに分け、前記専用ボタンが操作されることなく、グループ内の前記指示キーを１回り選択した場合に、次のグループの前記指示キーを選択することを特徴とする。
【発明の効果】
【００１７】
本発明の情報表示装置および情報表示方法は、実行する機能を示す機能項目が複数配列されていると共に、選択する機能項目の移動を指示する方向キーおよび選択されている機能項目の実行を指示する決定キーとを含む指示キーが配列されている操作画面を表示手段に表示し、操作画面における指示キーを所定間隔毎に順次選択し、方向キーを選択している状態で専用ボタンが操作されると、専用ボタンの操作時に選択している方向キーに基づいて選択する機能項目を移動し、決定キーを選択している状態で専用ボタンが操作されると、選択している機能項目を実行するように構成することにより、１つの専用ボタンを操作するだけで、選択する機能項目の移動と決定とを簡単に行うことができるため、ユーザの感性に対応した操作を素早く行うことが可能になり、多くの機能項目が存在していたり、機能項目がマトリックス状に配設されていたりした場合にも、１つの専用ボタンによる操作によって、ユーザの意図する機能項目を簡単に選択することができ、ユニバーサルデザイン対応して操作性に優れているという効果を奏する。
【００１８】
さらに、本発明の情報表示装置および情報表示方法は、表示手段に操作画面を表示していない状態で専用ボタンが操作されると、操作画面を表示手段に表示するように構成することにより、専用ボタンの操作で専用ボタンの操作に対応する操作画面を表示させることができるため、専用ボタンの操作だけで各種操作を完結することが可能になるという効果を奏する。
【００１９】
さらに、本発明の情報表示装置および情報表示方法は、方向キーを選択している状態で専用ボタンが操作されると、専用ボタンの操作時に選択している方向キーに基づいて選択する機能項目を移動した後、専用ボタンの操作時に選択している方向キーから指示キーを所定間隔毎に順次選択するように構成することにより、所定時間以内の間隔で連続して専用ボタンを操作することで、選択する機能項目を同一方向に連続させて移動させることができ、操作性をさらに向上させることができるという効果を奏する。
【００２０】
さらに、本発明の情報表示装置および情報表示方法は、指示キーとして操作画面の表示終了を指示する終了キーを表示し、終了キーを選択している状態で専用ボタンが操作されると、操作画面の表示を終了するように構成することにより、専用ボタンの操作で操作画面の表示を終了させ、専用ボタンによる操作を簡単に中止することができるという効果を奏する。
【００２１】
さらに、本発明の情報表示装置および情報表示方法は、指示キーとして機能項目の順次選択への移行を指示する移行指示キーを表示し、移行指示キーを選択している状態で専用ボタンが操作されると、操作画面における機能項目を所定間隔毎に順次選択し、機能項目を選択している状態で専用ボタンが操作されると、選択している機能項目を実行するように構成することにより、機能項目を直接選択する方が感性に合う場合に、機能項目を順次選択する動作に簡単に切り換えることができるという効果を奏する。
【００２２】
さらに、本発明の情報表示装置および情報表示方法は、順次選択する指示キーを複数のグループに分け、専用ボタンが操作されることなく、グループ内の指示キーを１回り選択した場合に、次のグループの指示キーを選択するように構成することにより、続けて使用される可能性が高い指示キーを優先して選択することができ、操作性をさらに向上させることができるという効果を奏する。
【発明を実施するための最良の形態】
【００２３】
以下、本発明の実施の形態を図面に基づいて詳細に説明する。
【００２４】
図１は、本発明に係る情報表示装置の実施の形態であるテレビジョン装置の構成を示すブロック図であり、図２は、図１に示すリモコン装置の構成を示す外観構成図である。
【００２５】
本実施の形態の情報表示装置は、テレビジョン装置１０であり、図１を参照すると、アンテナ１１で受信された放送波信号を選択して中間周波信号を生成するチューナ１２と、中間周波信号を増幅すると共に検波することで映像信号Ｖと音声信号Ｓとを取り出して出力する中間周波処理部１３と、中間周波処理部１３から入力された映像信号Ｖおよび音声信号Ｓ、もしくは他の機器等から外部入力された映像信号および音声信号を選択するＡＶセレクタ１４と、ＡＶセレクタ１４で選択された音声信号Ｓを増幅してスピーカ１５から出力する音声アンプ１６と、ＡＶセレクタ１４で選択された映像信号Ｖを輝度信号Ｙと色信号Ｃとに分離するＹ／Ｃ分離部１７と、色信号Ｃから色差信号ＵＶを復調し、輝度信号Ｙと色差信号ＵＶとを出力するクロマデコーダ１８と、表示手段であるＬＣＤ（液晶ディスプレイ）１９と、輝度信号Ｙと色差信号ＵＶとをＲＧＢ信号に変換し、ＬＣＤ１９に表示させるＲＧＢプロセッサ２０と、放送波信号に含まれているテレビ番組情報を取得する番組情報取得部２１と、各種操作画面をＬＣＤ１９に表示させるＯＳＤ用キャラクタジェネレータ２２と、テレビジョン装置１０の操作部として機能するリモコン装置２３から出力された赤外線変調信号等に変換されたコマンド信号を受信する受信部２４と、テレビジョン装置１０の各種動作を制御するシステムコントローラであるマイコン２５とを備えている。
【００２６】
リモコン装置２３は、図２を参照すると、複数のキー群（テンキー、十字キー、決定キー、終了キー等）で構成された通常ボタン２３１と、１のキーからなる専用ボタン２３２（以下、ＵＤボタンと称す）とが設けられており、通常ボタン２３１およびＵＤボタン２３２が操作されると、対応するコマンド信号が赤外線変調信号として出力される。
【００２７】
次に、ＬＣＤ１９に表示される操作画面であるメインメニュー画面におけるＵＤボタン２３２を用いた操作について図３乃至図５を参照して詳細に説明する。
図３および図４は、図１に示すＬＣＤ１９に表示されるメインメニュー画面におけるＵＤボタン２３２を用いた操作を説明するためのフローチャートであり、図５は、図１に示すＬＣＤ１９に表示されるメインメニュー画面例を示す図である。
【００２８】
図３および図４を参照すると、ユーザによってリモコン装置２３のＵＤボタン２３２が操作されると（ステップＡ１）、ＵＤボタン２３２に対応するコマンド信号（以下、ＵＤコマンドと称す）が赤外線変調信号としてテレビジョン装置１０の受信部２４に送信され、受信部２４によってＵＤコマンドが受信されると、マイコン２５は、ＯＳＤ用キャラクタジェネレータ２２を用いて、図５に示すようなメインメニュー画面をＬＣＤ１９に表示させる（ステップＡ２）。
【００２９】
メインメニュー画面は、図５を参照すると、複数の機能項目２６と、複数の指示キー２７とが配置されている。機能項目２６は、実行する機能を示す項目であり、メインメニュー画面に配置されているいずれか１項目が選択された状態となっており、選択されている機能項目２６は、ハイライト表示によって他の機能項目２６と区別して表示される。なお、図５（ａ）で示すメインメニュー画面では、３＊３＝９個の機能項目２６が配置され、中央の機能項目２６である「番組表」が選択されている状態が示されている。また、ステップＡ２でのメインメニュー画面の表示において、予め定められた機能項目２６が選択されているようにしても良く、直前に実行された機能項目２６が選択されているようにしても良い。
【００３０】
また、複数の指示キー２７は、選択する機能項目２６の変更を指示する方向キー（上方移動キー、下方移動キー、右方移動キー、左方移動キー）と、選択されている機能項目２６の実行を指示する決定キーと、メインメニュー画面の表示の終了を指示する終了キーとからなり、図５（ａ）に矢印で示すように、所定時間毎に指示キー２７が順次選択される指示キー順次選択動作が行われ、選択されている指示キー２７は、ハイライト表示によって他の指示キー２７と区別して表示される。なお、本実施の形態では、複数の指示キー２７において、上方移動キー、下方移動キー、右方移動キー、左方移動キー、決定キー、終了キーの順序で順次選択されるものとして以下説明するが、複数の指示キー２７の選択順序は、適宜設定することができる。
【００３１】
マイコン２５は、ＬＣＤ１９に表示させるメインメニュー画面の複数の指示キー２７において、まず、上方移動キーを選択し（ステップＡ３）、ユーザによるリモコン装置２３のＵＤボタン２３２の操作、すなわち受信部２４によるＵＤコマンドの受信を監視すると共に（ステップＡ４）、予めもしくはユーザによって設定された所定時間Ｔの経過を監視する（ステップＡ５）。
【００３２】
ステップＡ５で所定時間Ｔが経過する前に、ユーザによってリモコン装置２３のＵＤボタン２３２が操作され、受信部２４によってＵＤコマンドが受信されると、マイコン２５は、選択する項目を１つ上方の機能項目２６に移動させ（ステップＡ６）、再びステップＡ４およびステップＡ５の動作を実行する。なお、ステップＡ６で選択する項目を１つ上方の機能項目２６に移動させた後、所定時間Ｔのカウントが新たに開始されるものとする。これにより、上方移動キーが選択されている状態で、所定時間Ｔ以内の間隔で連続してＵＤボタン２３２が操作されると、ＵＤボタン２３２が操作された数だけ、移動が可能な限り、選択する項目が上方の機能項目２６に移動されることになる。
【００３３】
ユーザによってリモコン装置２３のＵＤボタン２３２が操作されることなく、ステップＡ５で所定時間Ｔが経過すると、マイコン２５は、ＬＣＤ１９に表示させるメインメニュー画面の複数の指示キー２７において、下方移動キーを選択し（ステップＡ７）、ユーザによるリモコン装置２３のＵＤボタン２３２の操作、すなわち受信部２４によるＵＤコマンドの受信を監視すると共に（ステップＡ８）、予めもしくはユーザによって設定された所定時間Ｔの経過を監視する（ステップＡ９）。
【００３４】
ステップＡ９で所定時間Ｔが経過する前に、ユーザによってリモコン装置２３のＵＤボタン２３２が操作され、受信部２４によってＵＤコマンドが受信されると、マイコン２５は、選択する項目を１つ下方の機能項目２６に移動させ（ステップＡ１０）、再びステップＡ８およびステップＡ９の動作を実行する。なお、ステップＡ１０で選択する項目を１つ下方の機能項目２６に移動させた後、所定時間Ｔのカウントが新たに開始されるものとする。これにより、下方移動キーが選択されている状態で、所定時間Ｔ以内の間隔で連続してＵＤボタン２３２が操作されると、ＵＤボタン２３２が操作された数だけ、移動が可能な限り、選択する項目が下方の機能項目２６に移動されることになる。
【００３５】
ユーザによってリモコン装置２３のＵＤボタン２３２が操作されることなく、ステップＡ９で所定時間Ｔが経過すると、マイコン２５は、ＬＣＤ１９に表示させるメインメニュー画面の複数の指示キー２７において、右方移動キーを選択し（ステップＡ１１）、ユーザによるリモコン装置２３のＵＤボタン２３２の操作、すなわち受信部２４によるＵＤコマンドの受信を監視すると共に（ステップＡ１２）、予めもしくはユーザによって設定された所定時間Ｔの経過を監視する（ステップＡ１３）。
【００３６】
ステップＡ１３で所定時間Ｔが経過する前に、ユーザによってリモコン装置２３のＵＤボタン２３２が操作され、受信部２４によってＵＤコマンドが受信されると、マイコン２５は、選択する項目を１つ右方の機能項目２６に移動させ（ステップＡ１４）、再びステップＡ１２およびステップＡ１３の動作を実行する。なお、ステップＡ１４で選択する項目を１つ右方の機能項目２６に移動させた後、所定時間Ｔのカウントが新たに開始されるものとする。これにより、右方移動キーが選択されている状態で、所定時間Ｔ以内の間隔で連続してＵＤボタン２３２が操作されると、ＵＤボタン２３２が操作された数だけ、移動が可能な限り、選択する項目が右方の機能項目２６に移動されることになる。
【００３７】
ユーザによってリモコン装置２３のＵＤボタン２３２が操作されることなく、ステップＡ１３で所定時間Ｔが経過すると、マイコン２５は、ＬＣＤ１９に表示させるメインメニュー画面の複数の指示キー２７において、左方移動キーを選択し（ステップＡ１５）、ユーザによるリモコン装置２３のＵＤボタン２３２の操作、すなわち受信部２４によるＵＤコマンドの受信を監視すると共に（ステップＡ１６）、予めもしくはユーザによって設定された所定時間Ｔの経過を監視する（ステップＡ１７）。
【００３８】
ステップＡ１７で所定時間Ｔが経過する前に、ユーザによってリモコン装置２３のＵＤボタン２３２が操作され、受信部２４によってＵＤコマンドが受信されると、マイコン２５は、選択する項目を１つ左方の機能項目２６に移動させ（ステップＡ１８）、再びステップＡ１６およびステップＡ１７の動作を実行する。なお、ステップＡ１８で選択する項目を１つ左方の機能項目２６に移動させた後、所定時間Ｔのカウントが新たに開始されるものとする。これにより、左方移動キーが選択されている状態で、所定時間Ｔ以内の間隔で連続してＵＤボタン２３２が操作されると、ＵＤボタン２３２が操作された数だけ、移動が可能な限り、選択する項目が左方の機能項目２６に移動されることになる。
【００３９】
なお、ステップＡ３〜ステップＡ１８において、ＵＤボタン２３２による機能項目２６の選択動作を説明したが、メインメニュー画面において、通常ボタン２３１における十字キーの操作によっても、機能項目２６の選択を行えるように構成すると、メインメニュー画面において通常の操作を行うことが可能になる。
【００４０】
次に、ユーザによってリモコン装置２３のＵＤボタン２３２が操作されることなく、ステップＡ１７で所定時間Ｔが経過すると、マイコン２５は、ＬＣＤ１９に表示させるメインメニュー画面の複数の指示キー２７において決定キーを選択し（ステップＡ１９）、ユーザによるリモコン装置２３のＵＤボタン２３２の操作、すなわち受信部２４によるＵＤコマンドの受信を監視すると共に（ステップＡ２０）、予めもしくはユーザによって設定された所定時間Ｔの経過を監視する（ステップＡ２１）。
【００４１】
ステップＡ２１で所定時間Ｔが経過する前に、ユーザによってリモコン装置２３のＵＤボタン２３２が操作され、受信部２４によってＵＤコマンドが受信されると、マイコン２５は、選択されている機能項目２６を実行し（ステップＡ２２）、メインメニュー画面の表示を終了させる。
【００４２】
なお、ステップＡ１９〜ステップＡ２２において、ＵＤボタン２３２による機能項目２６の決定動作を説明したが、メインメニュー画面において、通常ボタン２３１における決定キーの操作によっても、機能項目２６の決定を行えるように構成すると、メインメニュー画面において通常の操作を行うことが可能になる。
【００４３】
次に、ユーザによってリモコン装置２３のＵＤボタン２３２が操作されることなく、ステップＡ２１で所定時間Ｔが経過すると、マイコン２５は、ＬＣＤ１９に表示させるメインメニュー画面の複数の指示キー２７において終了キーを選択し（ステップＡ２３）、ユーザによるリモコン装置２３のＵＤボタン２３２の操作、すなわち受信部２４によるＵＤコマンドの受信を監視すると共に（ステップＡ２４）、予めもしくはユーザによって設定された所定時間Ｔの経過を監視する（ステップＡ２５）。
【００４４】
マイコン２５は、ステップＡ２５で所定時間Ｔが経過する前に、ユーザによってリモコン装置２３のＵＤボタン２３２が操作され、受信部２４によってＵＤコマンドが受信されると、メインメニュー画面の表示を終了させる。
【００４５】
なお、ステップＡ２３〜ステップＡ２５において、ＵＤボタン２３２によるメインメニュー画面の終了動作を説明したが、メインメニュー画面において、通常ボタン２３１における終了キーの操作によっても、メインメニュー画面の終了を行えるように構成すると、メインメニュー画面において通常の操作を行うことが可能になる。
【００４６】
次に、ユーザによってリモコン装置２３のＵＤボタン２３２が操作されることなく、ステップＡ２５で所定時間Ｔが経過すると、マイコン２５は、指定キー順次選択動作が予めもしくはユーザによって設定されたｎ巡目に到達したか否かを判断し（ステップＡ２６）、指定キー順次選択動作がｎ巡目に到達していない場合には、ステップＡ３に戻ってＬＣＤ１９に表示させるメインメニュー画面の複数の指示キー２７において上方移動キーを選択し、指定キー順次選択動作がｎ巡目に到達した場合には、メインメニュー画面の表示を終了させる。
【００４７】
複数の機能項目２６が配列されたメインメニュー画面等の操作画面において、上述の操作で選択する機能項目２６を移動させた場合には、図５（ｂ）に示すように、移動方向が限定される場合があり、この場合には、図５（ｂ）に矢印で示すように、選択する機能項目２６を移動させることができない方向の方向キー（以下、移動不可方向キーと称す）を消去又は薄く表示させ、移動不可方向キーを除く指示キー２７が、所定時間毎に順次選択されるようにすると良い。図５（ｂ）には、左上の機能項目２６である「映像メニュー」選択され、上方と左方には機能項目２６が存在せず、移動不可方向キーである上方移動キーと左方移動キーとが薄く表示された状態が示されており、この場合には、移動不可方向キーである上方移動キーと左方移動キーとを除く指示キー２７、すなわち下方移動キー、右方移動キー、決定キー、終了キーが所定時間毎に順次選択される。
【００４８】
このようにリモコン装置２３のＵＤボタン２３２を操作するだけで、複数の機能項目２６のいずれかを自在に選択して実行することができる。また、通常ボタン２３１が操作された場合には、操作された通常ボタン２３１に割り当てられている機能が実行される。
【００４９】
次に、ＬＣＤ１９に表示される操作画面であるチャンネルメニュー画面におけるＵＤボタン２３２を用いた操作について図６を参照して詳細に説明する。
図６は、図１に示すＬＣＤ１９に表示されるチャンネルメニュー画面例を示す図である。
【００５０】
図５に示すメインメニュー画面に配列されている機能項目２６において、「チャンネルメニュー」が選択されて実行されると、マイコン２５は、ＯＳＤ用キャラクタジェネレータ２２を用いて、図６に示すようなチャンネルメニュー画面をＬＣＤ１９に表示させる。
【００５１】
チャンネルメニュー画面は、図６を参照すると、複数の機能項目２６として、チャンネル指定項目が配列されていると共に、複数の指示キー２７として、機能項目２６の変更を指示する方向キー（上方移動キー、下方移動キー、右方移動キー、左方移動キー）と、選択されている機能項目２６の実行を指示する決定キーと、メインメニュー画面の表示の終了を指示する終了キーと、複数の機能項目２６のいずれかを順次選択する機能項目順次選択動作への移行を指示する移行指示キー２８とが配列され、メインメニュー画面と同様に、チャンネルメニュー画面に配置されている機能項目２６のいずれか１項目が選択された状態となっており、所定時間毎に指示キー２７が順次選択される指示キー順次選択動作が行われる。
【００５２】
図６（ａ）に示すように、移行指示キー２８が選択された状態で、ユーザによってリモコン装置２３のＵＤボタン２３２が操作され、受信部２４によってＵＤコマンドが受信されると、マイコン２５は、チャンネルメニュー画面に配置されている機能項目２６が順次選択される機能項目順次選択動作に移行させる。機能項目順次選択動作において、マイコン２５は、ＯＳＤ用キャラクタジェネレータ２２を用いて、図６（ｂ）に示すような、複数の機能項目２６であるチャンネル指定項目に対応するチャンネル指定キー２９を新たにＬＣＤ１９に表示させ、チャンネル指定キー２９が所定時間毎にいずれかのチャンネル指定キー２９が順次選択される。
【００５３】
チャンネル指定キー２９のいずれかが選択された状態で、ユーザによってリモコン装置２３のＵＤボタン２３２が操作され、受信部２４によってＵＤコマンドが受信されると、マイコン２５は、選択されているチャンネル指定キー２９によって指定されたチャンネルへの切り換えを実行すると共に、チャンネルメニュー画面の表示を終了させる。
【００５４】
なお、チャンネルメニュー画面において、通常ボタン２３１におけるテンキーの操作によっても、機能項目２６（チャンネル指定項目）の選択および決定を行えるように構成すると、チャンネルメニュー画面において通常の操作を行うことが可能になる。
【００５５】
次に、ＬＣＤ１９に表示される操作画面である番組表画面におけるＵＤボタン２３２を用いた操作について図７および図８を参照して詳細に説明する。
図７は、図１に示すＬＣＤ１９に表示される番組表画面におけるＵＤボタン２３２を用いた操作を説明するためのフローチャートであり、図８は、図１に示すＬＣＤ１９に表示される番組表画面例を示す図である。
【００５６】
図７を参照すると、図５に示すメインメニュー画面に配列されている機能項目２６において、「番組表」が選択されて実行されると、マイコン２５は、番組情報取得部２１によって取得されたテレビ番組情報に基づいて、ＯＳＤ用キャラクタジェネレータ２２を用いて、図７に示すような番組表画面をＬＣＤ１９に表示させる（ステップＢ１）。
【００５７】
番組表画面は、図８を参照すると、複数の機能項目２６として、番組タイトル項目が配列されていると共に、複数の指示キー２７として、機能項目２６の変更を指示する方向キー（上方移動キー、下方移動キー、右方移動キー、左方移動キー）と、選択されている機能項目２６の実行を指示する決定キーと、メインメニュー画面の表示の終了を指示する終了キーと、選択されている機能項目２６（番組タイトル項目）の情報の表示を指示する情報キーと、ジャンル検索を行うジャンルキーと、日時検索を行う日時キーと、予約確認を行う予約キーとが配列されている。番組表画面において、機能項目２６である番組タイトル項目のいずれか１項目が選択された状態となっていると共に、所定時間毎に指示キー２７が所定時間毎に順次選択される指示キー順次選択動作が行われ、選択されている指示キー２７は、ハイライト表示によって他の指示キー２７と区別して表示される。また、指示キー順次選択動作が行われる指示キー２７において、方向キー、決定キーおよび終了キーがグループＡに、情報キー、ジャンルキー、日時キーおよび予約キーがグループＢにそれぞれ設定されている。
【００５８】
マイコン２５は、ＬＣＤ１９に表示させる番組表画面におけるグループＡ内の指示キー２７を所定時間毎に順次表示させる順次表示動作を行い（ステップＢ２）、ユーザによるリモコン装置２３のＵＤボタン２３２の操作、すなわち受信部２４によるＵＤコマンドの受信を監視すると共に（ステップＢ３）、グループＡ内の指示キー２７の選択が１回りしたか否かを監視する（ステップＢ４）。
【００５９】
ステップＢ５で１回りする前に、ユーザによってリモコン装置２３のＵＤボタン２３２が操作され、受信部２４によってＵＤコマンドが受信されると、マイコン２５は、選択されている指示キー２７が方向キーであるか否かを判断し（ステップＢ５）、選択されている指示キー２７が方向キーである場合には、選択する項目を方向キーが指示している指示方向側の機能項目２６（番組タイトル項目）に移動させ（ステップＢ６）、ステップＢ２に戻る。なお、ステップＢ２において、選択を開始する指示キー２７は、予めもしくはユーザによって設定されたものでも良く、直近に選択実行されたものでも良い。
【００６０】
ステップＢ５で選択されている指示キー２７が方向キーでない場合には、マイコン２５は、選択されている指示キー２７が決定キーであるか否かを判断し（ステップＢ７）、選択されている指示キー２７が決定キーである場合には、選択されている機能項目２６を実行し（ステップＢ８）、番組表画面の表示を終了させ、選択されている指示キー２７が決定キーでなく、終了キーである場合には、そのまま番組表画面の表示を終了させる。
【００６１】
ユーザによってリモコン装置２３のＵＤボタン２３２が操作されることなく、ステップＢ４でグループＡ内の指示キー２７の選択が１回りした場合には、マイコン２５は、ＬＣＤ１９に表示させる番組表画面におけるグループＢ内の指示キー２７を所定時間毎に順次表示させる順次表示動作を行い（ステップＢ９）、ユーザによるリモコン装置２３のＵＤボタン２３２の操作、すなわち受信部２４によるＵＤコマンドの受信を監視すると共に（ステップＢ１０）、グループＢ内の指示キー２７の選択が１回りしたか否かを監視する（ステップＢ１１）。
【００６２】
ステップＢ１１で１回りする前に、ユーザによってリモコン装置２３のＵＤボタン２３２が操作され、受信部２４によってＵＤコマンドが受信されると、マイコン２５は、選択されている指示キー２７が情報キーであるか否かを判断し（ステップＢ１２）、選択されている指示キー２７が情報キーである場合には、番組情報取得部２１によって取得されたテレビ番組情報に基づいて、選択されている機能項目２６の情報を表示させ（ステップＢ１３）、番組表画面の表示を終了させる。
【００６３】
ステップＢ１２で選択されている指示キー２７が情報キーでなく、ジャンルキー、日時キーもしくは予約キーである場合には、ジャンルキー、日時キーもしくは予約キーに割り当てられている機能を実行し（ステップＢ１４）、番組表画面の表示を終了させる。
【００６４】
ユーザによってリモコン装置２３のＵＤボタン２３２が操作されることなく、ステップＢ１１で１回りした場合には、マイコン２５は、指定キー順次選択動作が予めもしくはユーザによって設定されたｎ巡目に到達したか否かを判断し（ステップＢ１５）、指定キー順次選択動作がｎ巡目に到達していない場合には、ステップＢ２に戻ってグループＡ内の指示キー２７を所定時間毎に順次表示させる順次表示動作を行い、指定キー順次選択動作がｎ巡目に到達した場合には、番組表画面の表示を終了させる。
【００６５】
なお、番組表画面において、通常ボタン２３１（テンキー、十字キー、決定キー、終了キー等）によっても、機能項目２６である番組タイトル項目の選択および設定や、番組表画面の終了を行えるように構成すると、番組表画面において通常の操作を行うことが可能になる。
【００６６】
以上説明したように、本実施の形態によれば、マイコン２５の指示によって、ＯＳＤ用キャラクタジェネレータ２２は、実行する機能を示す機能項目２６が複数配列されていると共に、選択する機能項目２６の移動を指示する方向キーおよび選択されている機能項目２６の実行を指示する決定キーとを含む指示キー２７が配列されている操作画面をＬＣＤ１９に表示し、マイコン２５は、操作画面における指示キー２７を所定間隔毎に順次選択し、方向キーを選択している状態でＵＤボタン２３２が操作されると、ＵＤボタン２３２の操作時に選択している方向キーに基づいて選択する機能項目２６を移動し、決定キーを選択している状態でＵＤボタン２３２が操作されると、選択している機能項目２６を実行するように構成することにより、１つのＵＤボタン２３２を操作するだけで、選択する機能項目２６の移動と決定とを簡単に行うことができるため、ユーザの感性に対応した操作を素早く行うことが可能になり、多くの機能項目２６が存在していたり、機能項目２６がマトリックス状に配設されていたりした場合にも、１つのＵＤボタン２３２による操作によって、ユーザの意図する機能項目２６を簡単に選択することができ、ユニバーサルデザイン対応して操作性に優れているという効果を奏する。
【００６７】
さらに、本実施の形態によれば、ＬＣＤ１９に操作画面を表示していない状態でＵＤボタン２３２が操作されると、操作画面をＬＣＤ１９に表示するように構成することにより、ＵＤボタン２３２の操作でＵＤボタン２３２の操作に対応する操作画面を表示させることができるため、ＵＤボタン２３２の操作だけで各種操作を完結することが可能になるという効果を奏する。
【００６８】
さらに、本実施の形態によれば、方向キーを選択している状態でＵＤボタン２３２が操作されると、ＵＤボタン２３２の操作時に選択している方向キーに基づいて選択する機能項目２６を移動した後、ＵＤボタン２３２の操作時に選択している方向キーから指示キーを所定間隔毎に順次選択するように構成することにより、所定時間以内の間隔で連続してＵＤボタン２３２を操作することで、選択する機能項目２６を同一方向に連続させて移動させることができ、操作性をさらに向上させることができるという効果を奏する。
【００６９】
さらに、本実施の形態によれば、指示キーとして操作画面の表示終了を指示する終了キーを表示し、終了キーを選択している状態でＵＤボタン２３２が操作されると、操作画面の表示を終了するように構成することにより、ＵＤボタン２３２の操作で操作画面の表示を終了させ、ＵＤボタン２３２による操作を簡単に中止することができるという効果を奏する。
【００７０】
さらに、本実施の形態によれば、指示キーとして機能項目２６の順次選択への移行を指示する移行指示キー２８を表示し、移行指示キー２８を選択している状態でＵＤボタン２３２が操作されると、操作画面における機能項目２６を所定間隔毎に順次選択し、機能項目２６を選択している状態でＵＤボタン２３２が操作されると、選択している機能項目２６を実行するように構成することにより、機能項目２６を直接選択する方が感性に合う場合に、機能項目２６を順次選択する動作に簡単に切り換えることができるという効果を奏する。
【００７１】
さらに、本実施の形態によれば、順次選択する指示キーを複数のグループに分け、ＵＤボタン２３２が操作されることなく、グループ内の指示キーを１回り選択した場合に、次のグループの指示キーを選択するように構成することにより、続けて使用される可能性が高い指示キーを優先して選択することができ、操作性をさらに向上させることができるという効果を奏する。
【００７２】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００７３】
【図１】本発明に係る情報表示装置の実施の形態であるテレビジョン装置の構成を示すブロック図である。
【図２】図１に示すリモコン装置の構成を示す外観構成図である。
【図３】図１に示すＬＣＤに表示されるメインメニュー画面におけるＵＤボタンを用いた操作を説明するためのフローチャートである。
【図４】図１に示すＬＣＤに表示されるメインメニュー画面におけるＵＤボタンを用いた操作を説明するためのフローチャートである。
【図５】図１に示すＬＣＤに表示されるメインメニュー画面例を示す図である。
【図６】図１に示すＬＣＤに表示されるチャンネルメニュー画面例を示す図である。
【図７】図１に示すＬＣＤ１９に表示される番組表画面におけるＵＤボタン２３２を用いた操作を説明するためのフローチャートである。
【図８】図１に示すＬＣＤ１９に表示される番組表画面例を示す図である。図である。
【符号の説明】
【００７４】
１０  テレビジョン装置
１１  アンテナ
１２  チューナ
１３  中間周波処理部
１４  ＡＶセレクタ
１５  スピーカ
１６  音声アンプ
１７  Ｙ／Ｃ分離部
１８  クロマデコーダ
１９  ＬＣＤ（液晶ディスプレイ）
２０  ＲＧＢプロセッサ
２１  番組情報取得部
２２  ＯＳＤ用キャラクタジェネレータ（表示制御手段）
２３  リモコン装置
２４  受信部
２５  マイコン（指示キー選択手段、機能項目選択実行手段）
２６  機能項目
２７  指示キー
２８  移行指示キー
２３１  通常ボタン
２３２  専用ボタン（ＵＤボタン）
【図１】
2008165557.tif 000003
【図２】
2008165557.tif 000004
【図３】
2008165557.tif 000005
【図４】
2008165557.tif 000006
【図５】
2008165557.tif 000007
【図６】
2008165557.tif 000008
【図７】
2008165557.tif 000009
【図８】
2008165557.tif 000010